(57)【要約】【課題】カードエッジソケットに低挿抜力で挿抜できるカード、カードエッジコネクタおよびネスト装置を実現することを目的にする。【解決手段】本発明は、電子部品が実装されるカードにに改良を加えたものである。本カードは、少なくとも両端がカードエッジソケット壁に内接するエッジ部を有し、このエッジ部は、間引き部が形成されていることを特徴とするするものである。【選択図】        図１
2004259809.tif 000002
【特許請求の範囲】
【請求項１】
電子部品が実装されるカードにおいて、
少なくとも両端がカードエッジソケット壁に内接するエッジ部を有し、
このエッジ部は、前記カードエッジソケットと嵌合しない間引き部が形成されていることを特徴とするカード。
【請求項２】
電子部品が実装されるカードにおいて、
カードエッジソケット壁に内接するエッジ部と、
前記カードエッジソケット壁に外接する張り出し部と
を有し、前記エッジ部と前記張り出し部とで前記カードエッジソケット壁を挟み込むことを特徴とするカード。
【請求項３】
請求項１または２記載のカードと、
このカードのエッジ部が着脱されるカードエッジソケットと
を有することを特徴とするカードエッジコネクタ。
【請求項４】
前面と後面が開放される本体と、
この本体の後面に取り付けられ、本体の前面側の面にカードエッジソケットが設けられるバックプレーンと、
このバックプレーンのカードエッジソケットにエッジ部が着脱される請求項１または２記載のカードと
を有することを特徴とするネスト装置。
【請求項５】
バックプレーンは、所定の間隔で複数のカードエッジソケットが設けられることを特徴とする請求項４記載のネスト装置。
【発明の詳細な説明】
【０００１】
【発明の属する技術分野】
本発明は、電子部品の実装されるカード、カードエッジコネクタおよびネスト装置に関するものであり、詳しくは、カードエッジソケットに低挿抜力で挿抜できるカード、カードエッジコネクタおよびネスト装置に関するものである。
【０００２】
【従来の技術】
ネスト装置は、筐体であるネストに、電子部品の実装されたカードが着脱される装置である。図４は、ネスト装置を示した構成図である。図４において、ネスト１０は、本体１１、バックプレーン１２からなり、１枚または複数枚のカード２０を着脱可能な筐体である（例えば、特許文献１参照）。
【０００３】
本体１１は、所望の面、例えば、前面およびこの面に対向する後面が開放される。なお、説明を容易にするため、ネスト１０の本体１１を破線で示し、ネスト１０の内側の見えない部分も図示している。バックプレーン１２は、本体１１の後面に取り付けられ、本体１１に対して前面側の面に同一形状のカードエッジソケット（以下、ソケットと略す）１３が所定の間隔で並列に複数配列されている。ソケット１３は、メス側のコネクタであり内側に複数の端子が設けられる。
【０００４】
カード２０は、エッジ部２１、レバー２２を有し、片面または両面に電子部品が実装される。もちろんカード２０は、単層板または多層板のどちらでもよい。エッジ部２１は、カード２０の一辺に設けられ、オス側のコネクタであり、バックプレーン１２のソケット１３の端子に合わせて片面または両面に連続して端子２３が設けられる。なお、ソケット１３とエッジ部２１とをあわせた総称がカードエッジコネクタである（例えば、特許文献２参照）。また、カード２０は、本体１１の前面より差し込まれたり、外されたりする。
【０００５】
レバー２２は、概略Ｔ字型をしており、カード２０のエッジ部２１と反対側の辺の両端それぞれに、ピン２４でカード２０に固定される。また、レバー２２は、このピン２４を中心に回転する。また、つまみ部２２ａは、カード２０に沿って内側に設けられるものである。
【０００６】
このようなカード２０をネスト１０に挿抜する動作を説明する。
まずカード２０をネスト１０に挿着する動作を説明する。ユーザは、カード２０のレバー２２が設けられる辺を持ち、エッジ部２１側からネスト１０の前面より、カード２０を入れていく。そして、カード２０のエッジ部２１を所定のソケット１３に挿入し、嵌合する。これにより、エッジ部２１とソケット１３それぞれの端子が電気的に接続されると共に、カード２０がソケット１３に固定される。
【０００７】
次にカード２０をネスト１０から外す動作を説明する。
レバー２２のつまみ部２２ａをもち、このつまみ部２２ａを力点にカード２０から遠ざける。これにより、つまみ部２３と反対側の部分が、作用点として本体１１にあたりカード２０が押し出される。そして、カード２０のレバー２２が設けられる辺を持ち、カード２０をネスト１０から取り外す。
【０００８】
【特許文献１】
特開平１１−２４９７６０号公報（段落番号０００２、第５図）
【特許文献２】
特開２００１−２３００３２号公報（段落番号０００２、第６図）
【０００９】
【発明が解決しようとする課題】
カード２０は、機能ごとに様々な種類（例えば、通信用カード、信号処理用カード等）があり、これらのカード２０に対応するためソケット１３は規格で統一された同一形状のものを用いる。そして、カード２０とソケット１３とを挿抜する力（挿抜力）は、エッジ部２１とソケット１３の端子が接する接点数によって決定される。そのため、接点数の多いカード２０とソケット１３を挿抜するには、大きな挿抜力が必要となり、カード２０を着脱するためにレバー２２の補助装置が設けられる。
【００１０】
また、カード２０の種類によっては、エッジ部２１の端子２３の全てを使用する必要がない場合や、実装する電子部品の種類、数量によってはカード２０の大きさの面積を必要としない場合がある。しかしながら、エッジ部２１の端子２３とソケット１３の端子同士がずれないように、エッジ部の幅（カード２０の片面に連続して端子２３が設けられる方向）とソケット１３の幅をあわせなければならず、カード２０とソケット１３の着脱に大きな挿抜力が必要になるという問題があった。
【００１１】
そこで本発明の目的は、カードエッジソケットに低挿抜力で挿抜できるカード、カードエッジコネクタおよびネスト装置を実現することにある。
【００１２】
【課題を解決するための手段】
請求項１記載の発明は、
電子部品が実装されるカードにおいて、
少なくとも両端がカードエッジソケット壁に内接するエッジ部を有し、
このエッジ部は、前記カードエッジソケットと嵌合しない間引き部が形成されていることを特徴とするものである。
【００１３】
請求項２記載の発明は、
電子部品が実装されるカードにおいて、
カードエッジソケット壁に内接するエッジ部と、
前記カードエッジソケット壁に外接する張り出し部と
を有し、前記エッジ部と前記張り出し部とで前記カードエッジソケット壁を挟み込むことを特徴とするものである。
【００１４】
請求項３記載の発明は、
請求項１または２記載のカードと、
このカードのエッジ部が着脱されるカードエッジソケットと
を有することを特徴とするものである。
【００１５】
請求項４記載の発明は、
前面と後面が開放される本体と、
この本体の後面に取り付けられ、本体の前面側の面にカードエッジソケットが設けられるバックプレーンと、
このバックプレーンのカードエッジソケットにエッジ部が着脱される請求項１または２記載のカードと
を有することを特徴とするものである。
【００１６】
請求項５記載の発明は、請求項４記載の発明において、
バックプレーンは、所定の間隔で複数のカードエッジソケットが設けられることを特徴とするものである。
【００１７】
【発明の実施の形態】
以下図面を用いて本発明の実施の形態を説明する。
［第１の実施例］
図１は本発明におけるネスト装置の第１の実施例を示す構成図である。ここで、図４と同一のものは同一符号を付し、説明を省略する。
図１において、カード３０がカード２０の代わりに設けられる。カード３０は、エッジ部３１を有し、片面または両面に図示しない電子部品が実装される。もちろんカード３０は、単層板または多層板のどちらでもよい。また、カード３０は、本体１１の前面より差し込まれたり、外されたりする。なお、図１において、ソケット１３、カード３０を２個ずつ図示しているが、それぞれ所望数設けてもよい。
【００１８】
エッジ部３１は、カード３０の一辺に設けられ、少なくとも両端がソケット壁に内接する。また、エッジ部３１は、ソケット１３の端子との電気的な接続が必要な数の端子３２が、片面または両面に設けられる。また、エッジ部３１は、間引き部３３が形成される。なお、エッジ部３１は、オス側のコネクタであり、ソケット１３とエッジ部３１とをあわせた総称がカードエッジコネクタである。
【００１９】
間引き部３３は、エッジ部３１に少なくとも一つ設けられ、エッジ部３１がソケット１３の端子と接しない部分であり、ソケット１３と嵌合しない。
【００２０】
このようなカード３０をネスト１０に挿抜する動作を図２を用いて説明する。図２は、カード３０に電子部品が実装される面からみた、ソケット１３の断面図およびカード３０である。ここで、図１と同一のものは同一符号を付してあり、本体１１、バックプレーン１２の図示を省略している。また、図２（ａ）はカード３０とソケット１３とを外した状態の正面図であり、図２（ｂ）はカード３０のエッジ部３１をソケット１３に差し込んで取り付けた状態の正面図である。
【００２１】
まずカード３０をネスト１０に挿着する動作を説明する。ユーザは、カード３０のエッジ部３１に対向する辺を持ち、エッジ部３１側からネスト１０の前面よりカード３０を入れていく。そして、カード３０のエッジ部３１を所定のソケット１３に挿入し、嵌合する。この際、エッジ部３１の両端が、ソケット１３の幅方向（図１および図２中、Ａ−Ａ’方向）の両端にあるソケット壁のそれぞれと内接するように挿入する。これにより、エッジ部３１とソケット１３それぞれの端子が電気的に接続され、カード３０が、ソケット１３の幅方向にずれることなくソケット１３に固定される。
【００２２】
次にカード３０をネスト１０から外す動作を説明する。
挿着するときと同様に、カード３０のエッジ部３１に対向する辺を持ち、ネスト１０からカード３０を抜き出して取り外す。
【００２３】
このように、両端がソケット壁に内接するエッジ部３１は、間引き部３３が形成されるので、エッジ部３１とソケット１３との接点数が少なくなる。これによりソケット１３に低挿抜力で挿抜でき、容易にカード３０を着脱できる。従って、レバー２２を必要とせず、レバー２２に要する部品数を削減できると共に、カード３０に電子部品を実装する面積を増大できる。
【００２４】
特に、ネスト１０にカード３０を挿抜する場合、エッジ部３１近傍でなく、エッジ部３１に対向する辺をもって挿抜を行う必要がある。そのため、装着するときに、カード３０がたわみ、カード３０自体が破損したり、電子部品を固定している半田にクラックが発生し、故障を生じやすい。しかし、両端がソケット壁に内接するエッジ部３１は、間引き部３３が形成されるので、エッジ部３１とソケット１３との接点数が少なくなる。これによりソケット１３に低挿抜力で挿抜でき、カード３０がたわまない。これにより、故障の発生を抑えることができる。
【００２５】
また、ソケット１３の両端のソケット壁にエッジ部の両端が内接するので、間引き部３３があっても、カード３０の幅方向にずれることがない。
【００２６】
さらに、エッジ部３１は、間引き部３３が形成されると共に、必要な端子３２だけ設けるので、カード３０を小型化でき、コストを抑えることができる。特に、端子３２は高価な金メッキを施すことが多いが、必要な端子３２だけを設けるので、コストを抑えることができる。
【００２７】
［第２の実施例］
図３はネスト装置の第２の実施例を示す構成図である。ここで、図１、図２と同一のものは同一符号を付し、説明を省略すると共に図示も省略する。図３において、カード４０がカード３０の代わりに設けられる。また、図３（ａ）はカード４０とソケット１３とを外した状態の正面図であり、図３（ｂ）はカード４０のエッジ部４１をソケット１３に差し込んで取り付けた状態の正面図である。
【００２８】
図３において、カード４０は、エッジ部４１、張り出し部４２を有し、片面または両面に図示しない電子部品が実装される。もちろんカード４０は、単層板または多層板のどちらでもよい。また、カード４０は、本体１１の前面より差し込まれたり、外されたりする。
【００２９】
エッジ部４１は、カード４０の一辺に設けられ、一端のみがソケット壁に内接する。また、エッジ部４１は、ソケット１３の端子との電気的な接続が必要な数の端子４３が、片面または両面に設けられる。なお、エッジ部４１は、オス側のコネクタであり、ソケット１３とエッジ部４１とをあわせた総称がカードエッジコネクタである。
【００３０】
張り出し部４２は、カード４０よりエッジ部４１が設けられる方向に張り出し、エッジ部４１の内接するソケット壁に外接する。すなわち、エッジ部４１と張り出し部４３とでソケット壁を挟み込む構造となっており、切り欠き部４４が形成される。
【００３１】
このようなカード４０をネスト１０に挿抜する動作を説明する。
まずカード４０をネスト１０に挿着する動作を説明する。ユーザは、カード４０のエッジ部４１に対向する辺を持ち、エッジ部４１側からネスト１０の前面よりカード４０を入れていく。そして、カード４０のエッジ部４１を所定のソケット１３に挿入し、嵌合する。この際、ソケット１３の幅方向の一端にあるソケット壁にエッジ部４１を内接させ、張り出し部４２を外接させ、ソケット壁を挟み込んで挿入する。すなわち、切り欠き部４２とソケット壁で位置合わせを行う。これにより、エッジ部４１とソケット１３それぞれの端子が電気的に接続され、カード４０が、ソケット１３の幅方向にずれることなくソケット１３に固定される。
【００３２】
次にカード４０をネスト１０から外す動作を説明する。
挿着するときと同様に、カード４０のエッジ部４１に対向する辺を持ち、ネスト１０からカード４０を抜き出して取り外す。
【００３３】
このように、エッジ部４１と張り出し部４２とが、ソケット壁を挟み込み位置合わせ行うので、エッジ部４１をソケット１３と同じ幅でなく、必要な幅だけ設ければよく、エッジ部４１とソケット１３との接点数が少なくなる。これによりソケット１３に低挿抜力で挿抜でき、容易にカード４０を着脱できる。従って、レバー２２を必要とせず、レバー２２に要する部品数を削減できると共に、カード４０に電子部品を実装する面積を増大できる。
【００３４】
特に、ネスト１０にカード４０を挿抜する場合、エッジ部４１近傍でなく、エッジ部４１に対向する辺をもって挿抜を行う必要がある。そのため、装着するときに、カード４０がたわみ、カード４０自体が破損したり、電子部品を固定している半田にクラックが発生し、故障を生じやすい。しかし、エッジ部４１と張り出し部４２とが、ソケット壁を挟み込み位置合わせ行うので、エッジ部４１をソケット１３と同じ幅でなく、必要な幅だけ設ければよく、エッジ部４１とソケット１３との接点数が少なくなる。これによりソケット１３に低挿抜力で挿抜でき、カード４０がたわまない。これにより、故障の発生を抑えることができる。
【００３５】
また、エッジ部４１は、端子４２を設けるのに必要な幅だけあればよく、カード４０も少なくとも電子部品を実装する面積だけあればよいので、カード４０を小型化でき、コストを抑えることができる。すなわち、図３において、破線で示される従来のカード２０とカード４０を比較すると明らかにカード４０を小型化することができる。これにより、コストを抑えることができる。特に、端子４３は高価な金メッキを施すことが多いが、必要な端子４３だけを設けるので、コストを抑えることができる。
【００３６】
なお、本発明はこれに限定されるものではなく、以下のようなものでもよい。
図１に示すネスト装置において、間引き部３３を一つだけ設ける構成を示したが、間引き部３３は所望数設けてよい。
【００３７】
図１、図３に示すネスト装置において、ソケット１３を複数設ける構成を示したが、一つでもよい。
【００３８】
また、図１、図３においてネスト１０にカード３０、４０が着脱されるネスト装置の構成を示したが、本体１１を設けずに、ソケット１３が設けられるバックプレーン１２だけとし、このバックプレーン１２のソケット１３にカード３０、４０それぞれのエッジ部３１、４１が着脱されるようにしてもよい。もちろん、ソケット１３の数は所望数でよい。
【００３９】
【発明の効果】
本発明によれば、以下のような効果がある。
請求項１によれば、両端がソケット壁に内接するエッジ部は、間引き部が形成されるので、エッジ部とソケットとの接点数が少なくなる。これによりソケットに低挿抜力で挿抜でき、容易にカードを着脱できる。従って、レバーを必要とせず、レバーに要する部品数を削減できると共に、カードに電子部品を実装する面積を増大できる。また、カードを小型化でき、コストを抑えることができる。
【００４０】
請求項２によれば、エッジ部と張り出し部とが、ソケット壁を挟み込み位置合わせ行うので、エッジ部をソケットと同じ幅でなく、必要な幅だけ設ければよく、エッジ部とソケットとの接点数が少なくなる。これによりソケットに低挿抜力で挿抜でき、容易にカードを着脱できる。従って、レバーを必要とせず、レバーに要する部品数を削減できると共に、カードに電子部品を実装する面積が増大する。また、カードを小型化でき、コストを抑えることができる。
【００４１】
請求項４、５によれば、請求項１また２記載のカードは、エッジ部とカードエッジソケットとの接点数が少ないので、カードエッジソケットを低挿抜力で挿抜できカードがたわまない。すなわちネストにカードを挿抜する場合、エッジ部近傍でなく、エッジ部に対向する辺をもって挿抜を行う必要がある。そのため、装着するときにカードがたわみ、カード自体が破損したり、電子部品を固定している半田にクラックが発生し故障を生じやすい。しかし、請求項１また２記載のカードは、エッジ部とカードエッジソケットとの接点数が少ないので、カードエッジソケットを低挿抜力で挿抜できカードがたわまない。これにより、故障の発生を抑えることができる。
【図面の簡単な説明】
【図１】本発明におけるネスト装置の第１の実施例を示した構成図である。
【図２】図１に示す装置の正面図である。
【図３】本発明におけるネスト装置の第２の実施例を示した構成図である。
【図４】従来のネスト装置の構成図である。
【符号の説明】
１０  ネスト
１１  本体
１２  バックプレーン
１３  カードエッジソケット
３０、４０  カード
３１、４１  エッジ部
３２、４３  端子
３３  間引き部
４２  張り出し部
【図１】
2004259809.tif 000003
【図２】
2004259809.tif 000004
【図３】
2004259809.tif 000005
【図４】
2004259809.tif 000006